(57)【要約】【課題】接着剤の塗布を不要とする事により、製造コストを低く抑えると共に、網部の形状の自由度を増やし、信頼性が高いフィルター付きガスケットを安価に提供することを目的とするものである。【解決手段】円盤状の網部と、前記網部の外周を取り囲む環状フランジ部とを備えたポリアミド樹脂材製のフィルター部材と、前記フランジ部に一体形成された環状のゴム状弾性材製ガスケットより成り、ポリアミド樹脂材製のフィルター部材としている為、製造コストを低く抑えると共に、網部の形状の自由度を増やし、信頼性が高いフィルター付きガスケットを安価に提供出来る。【選択図】図１
2013245798.tif 000002
【特許請求の範囲】
【請求項１】
円盤状の網部（１１）と、前記網部（１１）の外周を取り囲む環状フランジ部（１２）とを備えたポリアミド樹脂材製のフィルター部材（１）と、前記フランジ部（１２）に一体形成された環状のゴム状弾性材製ガスケット（２）より成るフィルター付きガスケット。
【請求項２】
前記ポリアミド樹脂材が、接着性添加剤成分を含んでいることを特徴とする請求項１記載のフィルター付きガスケット。
【請求項３】
前記網部（１１）が、ドーム形状を呈していることを特徴とする請求項１または２記載のフィルター付きガスケット。
【請求項４】
前記網部（１１）が、パンチメタル形状を呈していることを特徴とする請求項１〜３のいずれか一項に記載のフィルター付きガスケット。
【請求項５】
前記フィルター部材（１）の外周部に複数個の位置決め用突起（１３）を形成したことを特徴とする請求項１〜４のいずれか一項に記載のフィルター付きガスケット。
【発明の詳細な説明】
【技術分野】
【０００１】
本発明は、フィルター付きガスケット及びその製造方法に関するものであり、更に詳しくは、自動車、産業機械器具、ガスコンロ等の家庭用機器に幅広く利用されるフィルター付きガスケットに関するものである。
【背景技術】
【０００２】
従来、フィルター付きガスケットは、金属薄板にプレス加工により微細孔（メッシュ）を形成し、この微細孔（メッシュ）を形成した金属薄板の外周にゴム状弾性材製ガスケットを一体成形する方法により製作していた。
【０００３】
この為、金属薄板にプレス加工により微細孔（メッシュ）を形成する事に経費が嵩むと同時に、金属薄板とゴム状弾性材製ガスケットを一体化する為に、金属薄板の表面に接着剤を塗布する手間が必要となった。
【０００４】
特に、金属薄板の表面に接着剤を塗布する工程において、金属薄板全体を接着剤浴の中に浸す方法が、作業効率の観点から望ましいが、接着剤が微細孔を塞ぐ問題を惹起した。
【０００５】
この為、手作業である刷毛塗りにより、金属薄板の表面に接着剤を塗布する方法を採らざるを得ず、作業効率が大きく低下した。
【先行技術文献】
【特許文献】
【０００６】
【特許文献１】特開２００２−１５５８１７号公報
【発明の概要】
【発明が解決しようとする課題】
【０００７】
接着剤の塗布を不要とする事により、製造コストを低く抑えると共に、網部の形状の自由度を増やし、信頼性が高いフィルター付きガスケットを安価に提供することを目的とするものである。
【課題を解決するための手段】
【０００８】
上記目的を達成するために本発明にあっては、円盤状の網部と、前記網部の外周を取り囲む環状フランジ部とを備えたポリアミド樹脂材製のフィルター部材と、前記フランジ部に一体形成された環状のゴム状弾性材製ガスケットより成ることを特徴とする。
【発明の効果】
【０００９】
本発明は、以下に記載されるような効果を奏する。
請求項１記載の発明のフィルター付きガスケットによれば、ポリアミド樹脂材製のフィルター部材としている為、製造コストを低く抑えると共に、網部の形状の自由度を増やし、信頼性が高いフィルター付きガスケットを安価に提供出来る。
また、請求項２記載の発明のフィルター付きガスケットによれば、ポリアミド樹脂材が、接着性添加剤成分を含んでいる構成としている為、ガスケットとより強固に一体化出来る為、信頼性が高いフィルター付きガスケットとすることが出来る。
【００１０】
更に、請求項３記載の発明のフィルター付きガスケットによれば、網部の形状の自由度を増やし、各種用途に適した、信頼性が高いフィルター付きガスケットを安価に提供出来る。
更に、請求項４記載の発明のフィルター付きガスケットによれば、フィルター部材が樹脂材である為、パンチングメタル形状であっても安価に製作出来る。
【００１１】
更に、請求項５記載の発明のフィルター付きガスケットによれば、位置決め用突起により、フィルター部材を成形金型内で正確に位置決めが出来る為、精度の良いフィルター付きガスケットを容易に提供出来る。
【図面の簡単な説明】
【００１２】
【図１】本発明の第１の態様に係るフィルター付きガスケットの平面図。
【図２】図１のＡ−Ａ断面図。
【図３】本発明の第２の態様に係るフィルター付きガスケットの平面図。
【図４】図３のＢ−Ｂ断面図。
【図５】本発明の第３の態様に係るフィルター付きガスケットの平面図。
【図６】図５のＣ−Ｃ断面図。
【図７】本発明の第４の態様に係るフィルター付きガスケットの平面図。
【図８】図７のＤ−Ｄ断面図。
【発明を実施するための形態】
【００１３】
以下、本発明を実施するための最良の形態について説明する。
本発明の第１の態様に係るフィルター付きガスケット４は、図１及び図２に示す様に、円盤状の網部１１と、この網部１１の外周を取り囲む環状フランジ部１２とを備えたポリアミド樹脂材製のフィルター部材１と、フランジ部１２に一体形成された環状のゴム状弾性材製ガスケット２より構成されている。
ガスケット２は、フランジ部１２の外周部を包み込む様に、フランジ部１２と一体化されている。
【００１４】
この様な構成としている為、接着剤を使用する事無く、フィルター部材１とガスケット２を一体化出来る為、製造コストを低く抑えると共に、網部の形状の自由度を増やし、信頼性が高いフィルター付きガスケットを安価に提供出来る。
【００１５】
また、本実施態様においては、網部１１がドーム形状を呈している様に、網部１１の材料がポリアミド樹脂材である為、網部１１の形状の自由度を増やす事が出来、各種用途に適した、ドーム形状以外の平板形状、角錐形状等の各種形状のものを容易に得られ、信頼性が高いフィルター付きガスケットを安価に提供出来る。
【００１６】
ポリアミド樹脂は、アミド結合の繰り返し単位を備えた線状高分子で、代表的なポリアミド樹脂として６ナイロン、６，６ナイロン等が有る。
この種ポリアミド樹脂は、接着剤無しで直接、ゴム状弾性材と接着一体化出来る為、接着剤処理工程を省くことが出来る。
この為、製造コストを低く抑えると共に、信頼性が高いフィルター付きガスケットを安価に提供出来る。
【００１７】
また、この種ポリアミド樹脂層３に、接着性添加剤成分を含ませる事により、ゴム状弾性材との接着力をより高める事が出来る。
この為、より信頼性が高いフィルター付きガスケットとすることが出来る。
【００１８】
ガスケット２に使用されるゴム状弾性材料としては、エチレンプロピレンジエン三元共重合体（ＥＰＤＭ）、フッ素ゴム（ＦＫＭ）、水添加ニトリルゴム（ＨＮＢＲ）、ニトリルゴム（ＮＢＲ）、天然ゴム（ＮＲ）、アクリル酸エステルゴム（ＡＣＭ）等が適宜選択して用いられる。
【００１９】
尚、本発明に係るフィルター付きガスケットの製造方法は、まず、射出成形により網部１１と、この網部１１の外周を取り囲む環状フランジ部１２とを備えたポリアミド樹脂材製のフィルター部材１を製作し、ついで、このフィルター部材１のフランジ部１２の外周側を包み込むように、金型を用いてゴム状弾性材製ガスケット２を一体成形するものである。
環状フランジ部１２には、孔が２ヶ所設けられ、成形時の位置決めに利用している。
【００２０】
また、ガスケット２の外周には、外周から径方向外側に突出したガイド突起２１が形成されている。
このガイド突起２１の存在により、ガスケット２の組み付け後に、ガスケット２の有無を確認出来る為、ガスケット２の組み付け忘れを防止出来る。
【００２１】
ついで、本発明の第２の態様に係るフィルター付きガスケット４を、図３及び図４に基づき説明する。
第１の態様と相違する点は、フィルター部材１の形状が、図上上下方向に引き伸ばされた円盤形状を呈している点と、フィルター部材１の網部１１が網目形状では無く、パンチングメタル形状である点である。
また、フィルター部材１を成形金型内で正確に位置決めする為の位置決め用突起１３がフィルター部材１の外周部に複数個形成されている点において、第１の態様と相違している。
この位置決め用突起１３の存在により、フィルター部材１を成形金型内で正確に位置決め出来る為、精度の良いフィルター付きガスケットを容易に得られる。
【００２２】
ついで、本発明の第３の態様に係るフィルター付きガスケット４を、図５及び図６に基づき説明する。
第１の態様と相違する点は、フィルター部材１の形状が、円盤形状を呈している点と、第２の態様と同様に、フィルター部材１を成形金型内で正確に位置決めする為の位置決め用突起１３をフィルター部材１の外周部に複数個形成している点である。
【００２３】
ついで、本発明の第４の態様に係るフィルター付きガスケット４を、図６及び図７に基づき説明する。
第１の態様と相違する点は、フィルター部材１の形状が、円盤形状を呈していると共にフィルター部材１の網部１１が網目形状では無く、パンチングメタル形状である点と、第２の態様と同様に、フィルター部材１を成形金型内で正確に位置決めする為の位置決め用突起１３をフィルター部材１の外周部に複数個形成している点である。
【００２４】
また、本発明は上述の発明を実施するための最良の形態に限らず、本発明の要旨を逸脱することなくその他種々の構成を採り得ることはもちろんである。
【産業上の利用可能性】
【００２５】
本発明に係るフィルター付きガスケットは、自動車、産業機械器具、ガスコンロ等の家庭用機器に幅広く利用される。
【符号の説明】
【００２６】
１    フィルター部材
２    ガスケット
１１  網部
１２  フランジ部
２１  ガイド突起
【図１】
2013245798.tif 000003
【図２】
2013245798.tif 000004
【図３】
2013245798.tif 000005
【図４】
2013245798.tif 000006
【図５】
2013245798.tif 000007
【図６】
2013245798.tif 000008
【図７】
2013245798.tif 000009
【図８】
2013245798.tif 000010